(57)【要約】【課題】環境音の除去を行っても環境音信号を残すことができる音声信号取得装置を提供すること。【解決手段】本発明にかかる音声信号取得装置１００は、第１のマイクロホン１０１と、第２のマイクロホン１０２と、第２のマイクロホン１０２からの音声信号の位相を反転させる位相反転部１０３と、第１のマイクロホン１０１からの音声信号と位相反転部１０３の出力信号とを加算する加算器１０４と、加算器１０４からの出力信号を出力する第１の出力ポート１０５と、第２のマイクロホン１０２からの音声信号を出力する第２の出力ポート１０６と、を備える。【選択図】図１
2017098827.tif 000002
【特許請求の範囲】
【請求項１】
第１のマイクロホンと、
第２のマイクロホンと、
前記第２のマイクロホンからの音声信号の位相を反転させる位相反転部と、
前記第１のマイクロホンからの音声信号と前記位相反転部の出力信号とを加算する加算器と、
前記加算器からの出力信号を出力する第１の出力部と、
前記第２のマイクロホンからの音声信号を出力する第２の出力部と、
を備える音声信号取得装置。
【請求項２】
第１のマイクロホンと、
第２のマイクロホンと、
前記第２のマイクロホンからの音声信号の位相を反転させる位相反転部と、
前記第１のマイクロホンからの音声信号と前記位相反転部の出力信号とを加算する加算器と、
前記加算器の出力信号と前記第２のマイクロホンからの音声信号を多重化する多重化部と、
前記多重化部で多重化した信号を送信する送信部と、
を備える送信装置。
【請求項３】
前記加算器の出力信号をデジタル信号に変換する第１のＡＤ変換器と、
前記第２のマイクロホンからの音声信号をデジタル信号に変換する第２のＡＤ変換器と、
前記第１のＡＤ変換器の出力信号及び前記第２のＡＤ変換器の出力信号を多重化する多重化部とをさらに備え、
前記送信部は、前記多重化部により多重化された信号を送信する、請求項２に記載の送信装置。
【請求項４】
第１のマイクロホンと、
第２のマイクロホンと、
前記第２のマイクロホンからの音声信号の位相を反転させる位相反転部と、
前記第１のマイクロホンからの音声信号と前記位相反転部の出力信号とを加算する第１の加算器と、
前記第１の加算器の出力信号及び前記第２のマイクロホンからの音声信号を保存するメモリと、
前記第１の加算器の出力信号と前記第２のマイクロホンからの音声信号とを加算する第２の加算器と、
前記第１の加算器の出力信号、前記第２のマイクロホンからの音声信号、及び前記第２の加算器の出力信号のいずれかを選択して出力するスイッチと、
前記スイッチにより選択された信号を再生するスピーカと、
を備える記録再生装置。
【請求項５】
第１の信号及び第２の信号を受信する受信部と、
前記第１の信号と前記第２の信号とを加算する加算器と、
前記第１の信号、前記第２の信号、及び前記加算器の出力信号のいずれかを選択して出力するスイッチと、
前記スイッチにより選択された信号を再生するスピーカと、
を備える受信再生装置。
【請求項６】
前記受信部から出力される多重化された信号を、前記第１の信号及び前記第２の信号に分離する分離部と、
前記分離部から出力される前記第１の信号をアナログ信号に変換する第１のＤＡ変換器と、
前記分離部から出力される前記第２の信号をアナログ信号に変換する第２のＤＡ変換器とをさらに備え、
前記加算器は、アナログ信号に変換された前記第１の信号とアナログ信号に変換された前記第２の信号とを加算する、請求項５に記載の受信再生装置。
【請求項７】
前記第１のマイクロホンは、前記第２のマイクロホンと比較し、より発声者の音声を拾いやすい箇所に配置されている、請求項１に記載の音声信号取得装置。
【請求項８】
前記第１のマイクロホンは、前記第２のマイクロホンと比較し、より発声者の音声を拾いやすい箇所に配置されている、請求項２または３に記載の送信装置。
【発明の詳細な説明】
【技術分野】
【０００１】
本発明は、音声信号取得装置、送信装置、記録再生装置、及び受信再生装置に関する。
【背景技術】
【０００２】
電話機などの音声通話機器に関して、会話の妨げになることから、周囲の雑音を除去するノイズキャンセル、ノイズリダクション機能を実現した機器が知られている。
【０００３】
特許文献１には、発声者の音声用マイクと周囲の環境音用マイクを使用し、発声者の音声用マイクからの音声信号に周囲の環境音用マイクからの音声信号を逆位相にして加算することにより、環境音の除去を行う技術が記載されている。また、特許文献１では、環境音の除去を行った音声信号を携帯電話装置により送信している。
【先行技術文献】
【特許文献】
【０００４】
【特許文献１】特開平９−３６９４０号公報
【発明の概要】
【発明が解決しようとする課題】
【０００５】
特許文献１の携帯電話装置は、環境音の除去を行った音声信号を送信しているため、通信相手である受信側の装置は、環境音信号を受信しない。このため、例えば、場所の特定を行う等の目的で環境音を必要とする場合や、話していない区間の環境音を聞きたい場合には、環境音の除去が逆効果になるという問題があった。
【０００６】
本発明は、このような問題点を解決するためになされたものであり、環境音の除去を行っても環境音信号を残すことができる音声信号取得装置、送信装置、記録再生装置、及び受信再生装置を提供することを目的とする。
【課題を解決するための手段】
【０００７】
そこで、本発明は、第１のマイクロホンと、第２のマイクロホンと、前記第２のマイクロホンからの音声信号の位相を反転させる位相反転部と、前記第１のマイクロホンからの音声信号と前記位相反転部の出力信号とを加算する加算器と、前記加算器からの出力信号を出力する第１の出力部と、前記第２のマイクロホンからの音声信号を出力する第２の出力部と、を備える音声信号取得装置を提供する。
【０００８】
また、本発明は、第１のマイクロホンと、第２のマイクロホンと、前記第２のマイクロホンからの音声信号の位相を反転させる位相反転部と、前記第１のマイクロホンからの音声信号と前記位相反転部の出力信号とを加算する加算器と、前記加算器の出力信号と前記第２のマイクロホンからの音声信号を多重化する多重化部と、前記多重化部で多重化した信号を送信する送信部と、を備える送信装置を提供する。
【０００９】
また、本発明は、第１のマイクロホンと、第２のマイクロホンと、前記第２のマイクロホンからの音声信号の位相を反転させる位相反転部と、前記第１のマイクロホンからの音声信号と前記位相反転部の出力信号とを加算する第１の加算器と、前記第１の加算器の出力信号及び前記第２のマイクロホンからの音声信号を保存するメモリと、前記第１の加算器の出力信号と前記第２のマイクロホンからの音声信号とを加算する第２の加算器と、前記第１の加算器の出力信号、前記第２のマイクロホンからの音声信号、及び前記第２の加算器の出力信号のいずれかを選択して出力するスイッチと、前記スイッチにより選択された信号を再生するスピーカと、を備える記録再生装置を提供する。
【００１０】
さらに、本発明は、第１の信号及び第２の信号を受信する受信部と、前記第１の信号と前記第２の信号とを加算する加算器と、前記第１の信号、前記第２の信号、及び前記加算器の出力信号のいずれかを選択して出力するスイッチと、前記スイッチにより選択された信号を再生するスピーカと、を備える受信再生装置を提供する。
【発明の効果】
【００１１】
本発明により、環境音の除去を行っても環境音信号を残すことができる音声信号取得装置、送信装置、記録再生装置、及び受信再生装置を提供することができる。
【図面の簡単な説明】
【００１２】
【図１】本発明の実施の形態１にかかる音声信号取得装置の構成を示すブロック図である。
【図２】本発明の実施の形態２にかかる送信装置の構成を示すブロック図である。
【図３】本発明の実施の形態２にかかる受信再生装置の構成を示すブロック図である。
【図４】本発明の実施の形態３にかかる送信装置の構成を示すブロック図である。
【図５】本発明の実施の形態３にかかる受信再生装置の構成を示すブロック図である。
【図６】本発明の実施の形態３にかかる受信再生装置の構成を示すブロック図である。
【図７】本発明の実施の形態４にかかる記録再生装置の構成を示すブロック図である。
【発明を実施するための形態】
【００１３】
実施の形態１
以下、図面を参照して本発明の実施の形態について説明する。まず、図１を用いて、本発明の実施の形態１にかかる音声信号取得装置の構成について説明する。音声信号取得装置１００は、第１のマイクロホン１０１と、第２のマイクロホン１０２と、位相反転部１０３と、加算器１０４と、第１の出力ポート１０５と、第２の出力ポート１０６とを備えている。
【００１４】
第１のマイクロホン１０１は、発声者の音声を拾いやすい箇所に配置されることが望ましい。このような配置とすることにより、第１のマイクロホン１０１は、発声者の音声と周囲の環境音とを拾う。また、第１のマイクロホン１０１は、発声者の音声を周囲の環境音とともに電気信号に変換する。すなわち、第１のマイクロホン１０１の出力信号は、発声者の音声信号成分と周囲の環境音信号成分からなる電気信号である。そして、第１のマイクロホン１０１は、出力信号を加算器１０４へ出力する。
【００１５】
第２のマイクロホン１０２は、第１のマイクロホン１０１により収音する発声者の音声を拾いにくく、且つ周囲の環境音を拾える箇所に配置されることが望ましい。例えば、第２のマイクロホン１０２は、音声信号取得装置１００における第１のマイクロホン１０１が配置される面の裏面に配置される。このような配置とすることにより、第２のマイクロホン１０２は、周囲の環境音を拾う。また、第２のマイクロホン１０２は、周囲の環境音を電気信号に変換する。すなわち、第２のマイクロホン１０２の出力信号は、周囲の環境音信号成分からなる電気信号である。そして、第２のマイクロホン１０２は、出力信号を位相反転部１０３及び第２の出力ポート１０６へ出力する。
【００１６】
位相反転部１０３は、第２のマイクロホン１０２から受け取った信号の位相を反転する。そして、位相反転部１０３は、位相が反転された信号を加算器１０４へ出力する。
【００１７】
加算器１０４は、第１のマイクロホン１０１の出力信号と位相反転部１０３の出力信号とを受け取る。また、加算器１０４は、第１のマイクロホン１０１の出力信号と位相反転部１０３の出力信号とを加算する。すなわち、加算器１０４は、発声者の音声信号成分と周囲の環境音信号成分からなる第１のマイクロホン１０１の出力信号と、周囲の環境音信号成分の位相が反転された信号とを加算する。この加算により、加算器１０４は、周囲の環境音信号成分を除去し、発声者の音声信号成分を抽出する。そして、加算器１０４は、発声者の音声信号成分からなる電気信号を第１の出力ポート１０５へ出力する。
【００１８】
以上、説明したように、本発明の実施の形態１にかかる音声信号取得装置では、第１のマイクロホンの出力信号と、第２のマイクロホンの出力信号とを用いて周囲の環境音信号成分の除去を行って第１の出力ポートへ出力するとともに、第２のマイクロホンの出力信号を第２の出力ポートへ出力する構成としている。これにより、周囲の環境音信号成分を除去し、発声者の音声信号成分を抽出するとともに、周囲の環境音信号成分も出力することができる。したがって、環境音の除去を行っても環境音信号を残すことができる。
【００１９】
実施の形態２
続いて、本発明の実施の形態２にかかる通信システムについて説明する。本発明の実施の形態２にかかる通信システムは、送信装置２００及び受信再生装置３００を有する。また、本発明の実施の形態２にかかる送信装置２００は、本発明の実施の形態１にかかる音声信号取得装置１００を備えている。ここで、送信装置２００とは、例えば携帯電話機等の通信機器に備えられるものである。また、受信再生装置３００も同様に、携帯電話機等の通信機器に備えられるものである。
【００２０】
まず、図２を用いて、本発明の実施の形態２にかかる送信装置の構成について説明する。送信装置２００は、音声信号取得装置１００と、第１のＡＤ（Analog-to-digital）変換器２０１と、第２のＡＤ変換器２０２と、多重化部２０３と、送信部２０４と、アンテナ２０５とを備えている。なお、送信装置２００が備える音声信号取得装置１００は、図１に示す構成と同様であり、説明を省略する。
【００２１】
第１のＡＤ変換器２０１は、発声者の音声信号成分からなる電気信号を第１の出力ポート１０５から受け取る。ここで、第１のＡＤ変換器２０１が受け取る電気信号は、アナログ信号である。また、第１のＡＤ変換器２０１は、受け取った電気信号をデジタル信号に変換する。そして、第１のＡＤ変換器２０１は、変換後のデジタル信号を多重化部２０３へ出力する。
【００２２】
第２のＡＤ変換器２０２は、周囲の環境音信号成分からなる電気信号を第２の出力ポート１０６から受け取る。ここで、第２のＡＤ変換器２０２が受け取る電気信号は、アナログ信号である。また、第２のＡＤ変換器２０２は、受け取った電気信号をデジタル信号に変換する。そして、第２のＡＤ変換器２０２は、変換後のデジタル信号を多重化部２０３へ出力する。
【００２３】
多重化部２０３は、第１のＡＤ変換器２０１及び第２のＡＤ変換器２０２からそれぞれデジタル信号を受け取る。また、多重化部２０３は、第１のＡＤ変換器２０１及び第２のＡＤ変換器２０２から受け取ったデジタル信号を多重化する。そして、多重化部２０３は、多重化された信号を送信部２０４へ出力する。
【００２４】
送信部２０４は、多重化部２０３から多重化された信号を受け取る。そして、送信部２０４は、多重化された信号、すなわち、発声者の音声信号成分からなるデジタル信号及び周囲の環境音信号成分からなるデジタル信号が多重化された信号を、アンテナ２０５を介して通信相手へ送信する。
【００２５】
以上、説明したように、本発明の実施の形態２にかかる送信装置では、本発明の実施の形態１にかかる音声信号取得装置を備えている。このため、環境音の除去を行っても環境音信号を残すことができる。また、本発明の実施の形態２にかかる送信装置では、環境音の除去を行った音声信号と環境音信号とを多重化して送信することができる。
【００２６】
続いて、本発明の実施の形態２にかかる受信再生装置について説明する。本発明の実施の形態２にかかる受信再生装置３００は、送信装置２００の送信信号を受信して再生する受信再生装置である。
【００２７】
図３を用いて、本発明の実施の形態２にかかる受信再生装置の構成について説明する。受信再生装置３００は、アンテナ３０１と、受信部３０２と、分離部３０３と、第１のＤＡ（digital-to-Analog）変換器３０４と、第２のＤＡ変換器３０５と、加算器３０６と、スイッチ３０７と、スピーカ３０８とを備えている。
【００２８】
受信部３０２は、送信装置２００の送信信号である多重化された信号を、アンテナ３０１を介して受信する。そして、受信部３０２は、受信した信号、すなわち多重化された信号を分離部３０３へ出力する。
【００２９】
分離部３０３は、受信部３０２から多重化された信号を受け取る。また、分離部３０３は、多重化された信号を、発声者の音声信号成分からなるデジタル信号と、周囲の環境音信号成分からなるデジタル信号とに分離する。そして、分離部３０３は、発声者の音声信号成分からなるデジタル信号を第１のＤＡ変換器３０４へ出力し、周囲の環境音信号成分からなるデジタル信号を第２のＤＡ変換器３０５へ出力する。
【００３０】
第１のＤＡ変換器３０４は、発声者の音声信号成分からなるデジタル信号を分離部３０３から受け取る。また、第１のＤＡ変換器３０４は、受け取ったデジタル信号をアナログ信号へ変換する。そして、第１のＤＡ変換器３０４は、変換後のアナログ信号を加算器３０６及びスイッチ３０７へ出力する。
【００３１】
第２のＤＡ変換器３０５は、周囲の環境音信号成分からなるデジタル信号を分離部３０３から受け取る。また、第２のＤＡ変換器３０５は、受け取ったデジタル信号をアナログ信号へ変換する。そして、第２のＤＡ変換器３０５は、変換後のアナログ信号を加算器３０６及びスイッチ３０７へ出力する。
【００３２】
加算器３０６は、発声者の音声信号成分からなるアナログ信号を第１のＤＡ変換器３０４から受け取る。また、加算器３０６は、周囲の環境音信号成分からなるアナログ信号を第２のＤＡ変換器３０５から受け取る。さらに、加算器３０６は、発声者の音声信号成分からなるアナログ信号と周囲の環境音信号成分からなるアナログ信号とを加算する。この加算により、加算後のアナログ信号は、環境音の除去を行う前の音声信号、すなわち第１のマイクロホン１０１により収音した音に近い音声信号となる。そして、加算器３０６は、加算後のアナログ信号をスイッチ３０７へ出力する。
【００３３】
スイッチ３０７は、３ＰＳＴ（Triple Pole Single Threw）型のスイッチである。スイッチ３０７は、発声者の音声信号成分からなるアナログ信号を第１のＤＡ変換器３０４から受け取る。また、スイッチ３０７は、周囲の環境音信号成分からなるアナログ信号を第２のＤＡ変換器３０５から受け取る。また、スイッチ３０７は、加算器３０６から加算後のアナログ信号を受け取る。さらに、スイッチ３０７は、発声者の音声信号成分からなるアナログ信号、周囲の環境音信号成分からなるアナログ信号、及び加算後のアナログ信号のいずれかを選択する。なお、スイッチ３０７によりいずれのアナログ信号を選択するかは、図示しない制御部の指示により行われる。また、制御部の指示は、例えば、受信再生装置３００のユーザによる図示しない入力部の操作をもとに行われる。そして、スイッチ３０７は、選択されたアナログ信号をスピーカ３０８へ出力する。
【００３４】
スピーカ３０８は、スイッチ３０７から選択されたアナログ信号を受け取る。そして、スピーカ３０８は、選択されたアナログ信号を再生する。
【００３５】
以上、説明したように、本発明の実施の形態２にかかる受信再生装置では、発声者の音声信号、周囲の環境音信号、及び環境音の除去を行う前の音声信号のいずれかを選択するスイッチを備えた構成としている。これにより、環境音の除去を行っても環境音信号を残すことができる。また、発声者の音声信号、周囲の環境音信号、及び環境音の除去を行う前の音声信号のうち、受信再生装置のユーザが再生したい音を選択して再生することができる。
【００３６】
実施の形態３
続いて、本発明の実施の形態３にかかる通信システムについて説明する。本発明の実施の形態３にかかる通信システムは、上述した本発明の実施の形態２にかかる通信システムの変形例であり、受信再生装置にて音声信号を保存し、保存した音声信号を再生可能とするためのものである。本発明の実施の形態３にかかる通信システムは、送信装置４００及び受信再生装置５００を有する。
【００３７】
まず、図４を用いて、送信装置４００の構成について説明する。送信装置４００は、音声信号取得装置１００と、第１のＡＤ変換器２０１と、第２のＡＤ変換器２０２と、多重化部４０１と、送信部２０４と、アンテナ２０５とを備えている。なお、多重化部４０１以外の構成については、図２に示す構成と同様であり、説明を省略する。
【００３８】
多重化部４０１は、多重化部２０３の多重化する機能に加え、タイムスタンプを付与する機能を有している。
【００３９】
多重化部４０１は、第１のＡＤ変換器２０１及び第２のＡＤ変換器２０２からそれぞれ受け取ったデジタル信号を多重化する。また、多重化部４０１は、デジタル信号を多重化してパケット化する処理を行う際に、パケット毎にタイムスタンプを付与する。そして、タイムスタンプが付与された多重化信号を送信部２０４へ出力する。
【００４０】
以上の構成により、送信装置４００は、タイムスタンプが付与された多重化信号を受信再生装置５００へ送信することができる。
【００４１】
続いて、図５を用いて、受信再生装置５００の構成について説明する。受信再生装置５００は、アンテナ３０１と、受信部３０２と、メモリ５０１と、分離部３０３と、第１のＤＡ変換器３０４と、第２のＤＡ変換器３０５と、加算器５０２と、スイッチ３０７と、スピーカ３０８とを備えている。なお、メモリ５０１及び加算器５０２以外の構成については、図３に示す構成と同様であり、説明を省略する。
【００４２】
メモリ５０１は、受信部３０２から分離部３０３へ出力される信号を保存するものである。具体的には、メモリ５０１は、タイムスタンプが付与された多重化信号を受信部３０２から受け取る。また、メモリ５０１は、受け取った多重化信号を保存する。さらに、メモリ５０１は、保存された多重化信号を再生する際、付与されたタイムスタンプに示された時刻に同期させたタイミングで、多重化信号を分離部３０３へ出力する。なお、保存された多重化信号の再生は、図示しない制御部により指示された際に行われる。また、制御部の指示は、例えば、受信再生装置５００のユーザによる図示しない入力部の操作をもとに行われる。
【００４３】
加算器５０２は、第１のＤＡ変換器３０４及び第２のＤＡ変換器３０５から受け取った信号を加算する際に、それぞれの信号に付与されたタイムスタンプを参照して加算を行う。すなわち、発声者の音声信号成分からなるアナログ信号と周囲の環境音信号成分からなるアナログ信号とを、タイムスタンプを参照して時間を同期させて加算することにより、環境音の除去を行う前の音声信号を生成する。そして、加算器５０２は、加算後のアナログ信号をスイッチ３０７へ出力する。
【００４４】
以上の構成により、受信再生装置５００は、多重化信号に付与されたタイムスタンプをもとに、メモリに保存された多重化信号から発声者の音声信号、周囲の環境音信号、及び環境音の除去を行う前の音声信号の再生を行うことができる。
【００４５】
なお、図５の受信再生装置５００では、メモリ５０１が、受信部３０２から分離部３０３へ出力される信号を保存する構成として説明したが、これに限らず、例えば図６のように構成してもよい。
【００４６】
ここで、図６の受信再生装置６００について説明する。図６の受信再生装置６００では、図５の受信再生装置５００のメモリ５０１に代えて、メモリ６０１及び６０２を備えている。なお、メモリ６０１及び６０２以外の構成については、図５に示す構成と同様であり、説明を省略する。
【００４７】
メモリ６０１は、分離部３０３から第１のＤＡ変換器３０４へ出力される信号を保存するものである。具体的には、メモリ６０１は、タイムスタンプが付与された発声者の音声信号成分からなるデジタル信号を分離部３０３から受け取る。また、メモリ６０１は、受け取った信号を保存する。さらに、メモリ６０１は、保存された信号を再生する際、付与されたタイムスタンプに示された時刻に同期させたタイミングで、保存された信号を第１のＤＡ変換器３０４へ出力する。
【００４８】
メモリ６０２は、分離部３０３から第２のＤＡ変換器３０５へ出力される信号を保存するものである。具体的には、メモリ６０２は、タイムスタンプが付与された周囲の環境音信号成分からなるデジタル信号を分離部３０３から受け取る。また、メモリ６０２は、受け取った信号を保存する。さらに、メモリ６０２は、保存された信号を再生する際、付与されたタイムスタンプに示された時刻に同期させたタイミングで、保存された信号を第２のＤＡ変換器３０５へ出力する。
【００４９】
以上の構成により、受信再生装置６００は、多重化信号に付与されたタイムスタンプをもとに、メモリに保存された信号から発声者の音声信号、周囲の環境音信号、及び環境音の除去を行う前の音声信号の再生を行うことができる。
【００５０】
以上、説明したように、本発明の実施の形態３にかかる通信システムでは、送信装置は、タイムスタンプが付与された多重化信号を受信再生装置へ送信する構成としている。また、受信再生装置は、多重化信号に付与されたタイムスタンプをもとに、メモリに保存された信号の再生を行う構成としている。これにより、受信再生装置において、メモリに保存された信号であっても、発声者の音声信号、周囲の環境音信号、及び環境音の除去を行う前の音声信号の再生を行うことができる。
【００５１】
実施の形態４
続いて、本発明の実施の形態４にかかる記録再生装置について説明する。本発明の実施の形態４にかかる記録再生装置７００は、本発明の実施の形態１にかかる音声信号取得装置１００を備えている。ここで、記録再生装置とは、例えばＩＣ（Integrated Circuit）レコーダ等の記録・再生を行う装置である。
【００５２】
図７を用いて、記録再生装置７００の構成について説明する。記録再生装置７００は、音声信号取得装置１００と、第１のＡＤ変換器７０１と、第２のＡＤ変換器７０２と、メモリ６０１と、メモリ６０２と、第１のＤＡ変換器３０４と、第２のＤＡ変換器３０５と、加算器５０２と、スイッチ３０７と、スピーカ３０８とを備えている。なお、記録再生装置７００が備える音声信号取得装置１００は、図２に示す構成と同様であり、説明を省略する。また、記録再生装置７００が備えるメモリ６０１、メモリ６０２、第１のＤＡ変換器３０４、第２のＤＡ変換器３０５、加算器５０２、スイッチ３０７、及びスピーカ３０８は、図６に示す構成と同様であり、説明を省略する。
【００５３】
第１のＡＤ変換器７０１は、第１のＡＤ変換器２０１のＡＤ変換する機能に加え、タイムスタンプを付与する機能を有している。同様に、第２のＡＤ変換器７０２は、第２のＡＤ変換器２０２のＡＤ変換する機能に加え、タイムスタンプを付与する機能を有している。また、第１のＡＤ変換器７０１及び第２のＡＤ変換器７０２は、図示しない同一のクロックを参照してタイムスタンプを付与する。
【００５４】
第１のＡＤ変換器７０１は、第１の出力ポート１０５から受け取った電気信号をデジタル信号へ変換する際に、タイムスタンプを付与する。そして、タイムスタンプが付与されたデジタル信号をメモリ６０１へ出力する。すなわち、タイムスタンプが付与されたデジタル信号は、メモリ６０１に保存される。
【００５５】
第２のＡＤ変換器７０２は、第２の出力ポート１０６から受け取った電気信号をデジタル信号へ変換する際に、タイムスタンプを付与する。そして、タイムスタンプが付与されたデジタル信号をメモリ６０２へ出力する。すなわち、タイムスタンプが付与されたデジタル信号は、メモリ６０２に保存される。
【００５６】
メモリ６０１は、保存されたデジタル信号を再生する際、付与されたタイムスタンプに示された時刻に同期させたタイミングで、保存されたデジタル信号を第１のＤＡ変換器３０４へ出力する。同様に、メモリ６０２は、保存されたデジタル信号を再生する際、付与されたタイムスタンプに示された時刻に同期させたタイミングで、保存されたデジタル信号を第２のＤＡ変換器３０５へ出力する。なお、保存されたデジタル信号の再生は、図示しない制御部により指示された際に行われる。また、制御部の指示は、例えば、記録再生装置７００のユーザによる図示しない入力部の操作をもとに行われる。
【００５７】
加算器５０２は、第１のＤＡ変換器３０４及び第２のＤＡ変換器３０５から受け取った信号を加算する際に、それぞれの信号に付与されたタイムスタンプを参照して加算を行う。すなわち、発声者の音声信号成分からなるアナログ信号と周囲の環境音信号成分からなるアナログ信号とを、タイムスタンプを参照して時間を同期させて加算することにより、環境音の除去を行う前の音声信号を生成する。そして、加算器５０２は、加算後のアナログ信号をスイッチ３０７へ出力する。
【００５８】
以上、説明したように、本発明の実施の形態４にかかる記録再生装置では、本発明の実施の形態１にかかる音声信号取得装置を備えている。このため、環境音の除去を行っても環境音信号を残すことができる。また、本発明の実施の形態４にかかる記録再生装置では、タイムスタンプが付与されたデジタル信号をメモリに保存し、デジタル信号に付与されたタイムスタンプをもとに、メモリに保存された信号の再生を行う構成としている。これにより、記録再生装置において、メモリに保存された、発声者の音声信号、周囲の環境音信号、及び環境音の除去を行う前の音声信号の再生を行うことができる。
【００５９】
なお、本発明は上記実施の形態に限られたものではなく、趣旨を逸脱しない範囲で適宜変更することが可能である。
【００６０】
例えば、上述の本発明の実施の形態２及び３にかかる送信装置は、デジタル信号に変換後、多重化して送信する構成としているが、第１のＡＤ変換器２０１、第２のＡＤ変換器２０２、及び多重化部２０３を備えない構成としてもよい。すなわち、発声者の音声信号成分からなる電気信号、及び周囲の環境音信号成分からなる電気信号を、それぞれアナログ信号により送信する構成としてもよい。これにより、アナログ信号により送信を行う送信装置であっても、環境音の除去を行った音声信号と環境音信号とを送信することができる。
【００６１】
同様に、実施の形態２及び３にかかる受信再生装置は、分離部３０３、第１のＤＡ変換器３０４、及び第２のＤＡ変換器３０５を備えない構成としてもよい。すなわち、発声者の音声信号成分からなる電気信号、及び周囲の環境音信号成分からなる電気信号を、それぞれアナログ信号により受信する構成としてもよい。これにより、アナログ信号により受信を行う受信再生装置であっても、環境音の除去を行った音声信号と環境音信号とを受信し、再生することができる。
【符号の説明】
【００６２】
１００    音声信号取得装置
１０１    第１のマイクロホン
１０２    第２のマイクロホン
１０３    位相反転部
１０４    加算器
１０５    第１の出力ポート
１０６    第２の出力ポート
２００    送信装置
２０４    送信部
３００    受信再生装置
３０６    加算器
３０７    スイッチ
３０８    スピーカ
６０１    メモリ
６０２    メモリ
７００    記録再生装置
【図１】
2017098827.tif 000003
【図２】
2017098827.tif 000004
【図３】
2017098827.tif 000005
【図４】
2017098827.tif 000006
【図５】
2017098827.tif 000007
【図６】
2017098827.tif 000008
【図７】
2017098827.tif 000009